(57)【要約】 【課題】封印シールを破壊した場合には不正行為を直ちに検知できるとともに、外部から容易に不正行為の痕跡を発見することができる遊技機の基板ケースを提供する。【解決手段】一側に透明な下側貼付部２２を有する底体２と、一側に透明な上側貼付部３２を有し底体２にスライドして装着される蓋体３と、下側貼付部と上側貼付部とを跨いで貼着される封印シール１と、上側貼付部３２と下側貼付部２２との間にスライド可能に介装される板状の切断部材５と、切断部材５の端部と係合して一体にスライド可能なシールカバー体４とからなる基板ケースにおいて、前記切断部材５には、スライド方向先端部に封印シール１の接続部切断用の切れ刃５１を設けるとともに、上面に上側貼付部３２から突出する封印シール破壊用の突起５４を設けた。【選択図】図４
2011239805.tif 000002
【特許請求の範囲】
【請求項１】
一側に下側貼付部を有する底体と、一側に上側貼付部を有し底体にスライドして装着される蓋体と、ＩＣチップとアンテナ部とこの両者をつなぐ接続部とを有し下側貼付部と上側貼付部とを跨いで貼着される封印シールと、上側貼付部と下側貼付部との間にスライド可能に介装される板状の切断部材と、切断部材と係合して一体にスライド可能であって貼着された封印シール全体を覆う透明なシールカバー体とからなる遊技機の基板ケースにおいて、
前記切断部材には、その上面に上側貼付部から突出する封印シール破壊用の突起を設けたことを特徴とする遊技機の基板ケース。
【請求項２】
前記切断部材には、スライド方向先端部に封印シールの接続部切断用の切れ刃を設けた請求項１に記載の遊技機の基板ケース。
【請求項３】
封印シールは、上側貼着部と下側貼着部との境界に接続部が位置し、前記切欠き溝に通し番号記載部が位置して貼着されている請求項２に記載の遊技機の基板ケース。
【請求項４】
切断部材の上面には、スライド方向と直交する凹溝部または突条部を設け、上側貼付部の裏面には前記凹溝部に嵌め込まれる突条部または突条部が嵌め込まれる凹溝部を設けて、切断部材の上側貼付部からの離脱を困難とした請求項１〜３の何れかに記載の遊技機の基板ケース。
【請求項５】
切断部材は端部に係合爪を有し、シールカバー体は側面の内壁に係合爪との係止部を有するとともに、蓋体の側面にはシールカバー体に近接して前記係止部を覆う保護壁を設けた請求項１〜４の何れかに記載の遊技機の基板ケース。
【発明の詳細な説明】
【技術分野】
【０００１】
本発明は、制御基板を収納するための遊技機の基板ケースに関するものである。
【背景技術】
【０００２】
制御基板を収納するための遊技機の基板ケースを封印するものとして、特許文献１に開示されているようなＩＣタグを有する封印シールを貼着したものが知られている。開示に係るものは、底体と蓋体にそれぞれ貼付板部を設け、この貼付板部を跨ぐようにＩＣタグが埋め込まれた封印シールが側面視コの字状に折り曲げて貼り付けられた構造となっている。
【０００３】
封印シール１は、図１、２に示すように、裏面に固有の識別情報が収納されたＩＣチップ１１と、アンテナ部１２と、ＩＣチップ１１とアンテナ部１２とをつなぐ接続部１３とを備えている。また、図３に示すように、表面には「開封禁止」の文字とともに、右肩などには、封印シールの番号が通し番号で記載されている。このような封印シール１においては、外部のリーダー装置からの電波によってアンテナ部１２に微量な電力を発生させ、その電力によってＩＣチップ１１で情報を処理してアンテナ部１２からリーダー装置へ送信することによって、外部から固有の識別情報を非接触で読み取ることができる。このような封印シール１で封印された基板ケースを不正に開封して接続部１３が切断された場合には、ＩＣチップ１１とアンテナ部１２との導通が遮断されてしまうので、リーダー装置による情報の読み取りが不可能となって不正が働かれたことを検知することができる。
【０００４】
しかしながら、接続部１３は長さ数ｍｍ程度の短いものであるので、基板ケースを不正に開封した場合においても、接続部１３以外のアンテナ部１２で切断されたような場合にはアンテナ１２の長さが短くなるだけで、依然としてリーダー装置による識別情報の読み取りが可能であって、不正が働かれたことを検知することができないという問題があった。また、外部から破壊された封印シールが視認できないばあいには、不正行為の発見までに時間を要して不正な球獲得を許してしまうという問題もあった。なお、封印シールを貼着した基板ケースの反対側には、特許文献２に示したようなロック機構が二つ設けられていて、一度ロックされた基板ケースはロック機構部を破壊しないと開封できないような仕組みになっている。
【先行技術文献】
【特許文献】
【０００５】
【特許文献１】特開２００８−１７９１４号公報
【特許文献２】特開２００８−１２５５３５号公報
【発明の開示】
【発明が解決しようとする課題】
【０００６】
本発明は、上記した従来の問題点に鑑み、封印シールを破壊した場合には不正行為を直ちに検知できるとともに、外部から容易に不正行為の痕跡を発見することができる遊技機の基板ケースを提供することを課題とする。
【課題を解決するための手段】
【０００７】
本発明の遊技機の基板ケースは、一側に下側貼付部を有する底体と、一側に上側貼付部を有し底体にスライドして装着される蓋体と、ＩＣチップとアンテナ部とこの両者をつなぐ接続部とを有し下側貼付部と上側貼付部とを跨いで貼着される封印シールと、上側貼付部と下側貼付部との間にスライド可能に介装される板状の切断部材と、切断部材と係合して一体にスライド可能であって貼着された封印シール全体を覆う透明なシールカバー体とからなる遊技機の基板ケースにおいて、
前記切断部材には、その上面に上側貼付部から突出する封印シール破壊用の突起を設けたことを特徴とするものである。
【０００８】
上記した発明において、前記切断部材には、スライド方向先端部に封印シールの接続部切断用の切れ刃を設けることができる。また、封印シールを、上側貼着部と下側貼着部との境界に接続部が位置し、前記切欠き溝に通し番号記載部が位置して貼着するのが望ましく、切断部材の上面には、スライド方向と直交する凹溝部または突条部を設け、上側貼付部の裏面には前記凹溝部に嵌め込まれる突条部または突条部が嵌め込まれる凹溝部を設けて、切断部材の上側貼付部からの離脱を困難とするのが望ましい。さらに、切断部材は端部に係合爪を有し、シールカバー体は側面の内壁に係合爪との係止部を有するとともに、蓋体の側面にはシールカバー体に近接して前記係止部を覆う保護壁を設けることができる。
【発明の効果】
【０００９】
請求項１に係る基板ケースは、シールカバー体を引きずり出すと切断部材がともにスライドされて突起が封印シールを破壊するので、不正が働かれたことを容易に視認することができる。
【００１０】
請求項２に係る発明は、切断部材の切れ刃が封印シールを切断するので、外部から電気的に不正行為を発見することができる。
【００１１】
請求項３に係る発明は、接続部が確実に切断されるので、ＩＣチップの識別情報の読み取りが不可能となって不正行為を検知することができるとともに、突起が通し番号記載部分を破壊するので、封印シールが張り替えられた場合に不正行為を発見することができる。
【００１２】
請求項４に係る発明は、凹溝部に突条部を嵌合させたときには、故意にこの嵌合を解除しない限り切断部材を上側貼付部から引きずり出すことはできない。
【００１３】
請求項５に係る発明は、保護壁が針金などを用いた不正行為を防止するので、係合爪と係止部との係合を容易に解除することはできない。
【図面の簡単な説明】
【００１４】
【図１】封印シールの裏面図である。
【図２】封印シール裏面の部分拡大図である。
【図３】封印シールの表面図である。
【図４】基板ケースの分解斜視図である。
【図５】切断部材と蓋体の裏面構造を示す斜視図である。
【図６】切断部材が挿着された蓋体の斜視図である。
【図７】切断部材と蓋体と底体とが合体された基板ケースの斜視図である。
【図８】封印シールが貼着された基板ケースの斜視図である。
【図９】シールカバー体が装着された基板ケースの斜視図である。
【図１０】図９の基板ケースの側面図である。
【図１１】図１０のＡ−Ａ線断面図である。
【図１２】図９の基板ケースの平面図である。
【図１３】図１２のＢ−Ｂ線断面における要部拡大図である。
【図１４】切断部材が引き出された状態の要部拡大図である。
【図１５】シールカバー体が引き離された基板ケースの側面図である。
【図１６】図１５のＣ−Ｃ線断面図である。
【図１７】図７の基板ケースの平面図である。
【図１８】図１７のＤ−Ｄ線断面における要部拡大図である。
【発明を実施するための最良の形態】
【００１５】
以下に、本発明の実施形態について説明する。
図４は、本発明の基板ケースを示す図であって、１は封印シール、２は底体、３は蓋体、４はシールカバー体、５は切断部材である。また、図５は蓋体３および切断部材５の裏面を示す図である。底体２の側部には略Ｌ字状に切り込まれた凹部２１が設けられ、蓋体３の側部には突部３１が設けられている。突部３１を前記凹部２１に嵌め込んで蓋体３を後方に（図４においては右上方向に）、底体２を前方に（図４においては左下方向に）スライドさせることにより蓋体３を底体２に対して上下方向の移動を規制して合体させることができる。なお、記載を省略したが、基板ケース内には制御基板が内蔵され、また、制御基板の後端にはロック機構が二つ設けられている。
【００１６】
また、底体２の一端には、下側貼付部２２が設けられ、蓋体３の一端には、下側貼付部２２に対応して上側貼付部３２が設けられている。底体２、蓋体３、シールカバー体４、切断部材５は、例えばＰＣなどの透明な樹脂により製作することができる。なお、切断部材５は色が付いていたり半透明であったりしても良い。
【００１７】
下側貼付部２２は、底板２２１と、下側側壁２２２と、底板２２１の前端に設けられた立ち上がり壁２２３とからなる。立ち上がり壁２２３の中央上部には凹部２２４が形成されている。また、立ち上がり壁２２３の両端には封印シール１の幅に対応して段差２２５が設けられ、底板２２１の裏側の左右両端と、底体２との基部には、封印シール１の下側半分を囲むように段差が設けられている（図示していない）。
【００１８】
また、上側貼付部３２は、天井板３２１と、上側側壁３２２とからなり、天井板３２１には前後方向に伸びて切欠き溝３２３が形成されている。また、上側貼付部３２の前端の両側と、天井板３２１の左右両側と、蓋体３との基部には、封印シール１の上側半分を囲むように段差３２６が設けられている。さらに、上側側壁３２２の隣には縦長の保護壁３２７を設けてある。
【００１９】
切断部材５は、下側貼付部２２と上側貼付部３２との間に挿入されるが、具体的には上側貼付部３２の裏側に差し込み式で装着される。切断部材５は、先端に上側貼付部３２および下側貼付部２２の両端に渡る幅の切れ刃５１を備えており、後端にはガイド用のくぼみ部５２を二つ備えており、左右の両側面５７には後端に向うに従って外側に広がった係止爪５３を有している。また、切断部材５は、その上面に、封印シール破壊用の突起５４を有し、突起５４の基部には、前記切欠き溝３２３に嵌め込まれるガイド隆起５５が形成されている。突起５４は、前側が鋭利な形状に形成されていて、封印シール１を破壊しやすくしてある。
【００２０】
切れ刃５１は、刃先が上側貼付部３２に接するように下から上に向かって斜めに傾斜して形成されている。これによって切断部材５上面と上側貼付部３２の裏面との密着性を向上させて封印シール１を破壊しやすくすることができる。また、切れ刃５１は先端が鋭利な二股の突状に形成されている。これにより、封印シール１を上側貼付部３２と下側貼付部２２を跨いで貼着した場合に貼着位置が数mmずれても接続部１３が二股の間に位置して確実に接続部１３を切断することができる（図５）。
【００２１】
切断部材５は、二つのくぼみ部５２の間の裏面に、上側貼付部３２への挿着を容易とする押込み用に隆起部５８を備えている。さらに、切断部材５の後端の両側には、スライド方向と直交して延伸された断面円弧状で深さ1ｍｍ程度の凹溝部５６が形成されている。また、上側貼付部３２の裏面には前記くぼみ部５２に嵌め込まれる突起３２４と、凹溝部５６に嵌め込まれる断面円弧状で高さ1ｍｍ程度の突条部３２５が設けられている。なお、切断部材５に突条部を設け、上側貼付部３２に凹溝部を設けることもできる。
【００２２】
シールカバー体４は、上面４１と下面４２と前面４３と左右の側面４４とを有する横断面横向きのＵ字形に形成されていて、コの字形に折れ曲がって貼着された封印シール１全体を覆う構造となっている（図４）。シールカバー体４の開口端の側面４４の内部には、係止爪５３と係合する係止部４５（後述する）が設けられている。
【００２３】
以上のように構成されたものにおいては、隆起部５８に指をかけて押圧して予め切断部材５を上側貼付部３２の裏側に装着する（図６）。ガイド隆起５５の幅は切欠き溝３２３の幅よりも僅かに小さいため、上側貼付部３２に対して左右にずれることなく切断部材５を装着することができる。これによって、くぼみ部５２に突起３２４が嵌め込まれる。くぼみ部５２の突起３２４と係合している部分は傾斜しているので、切断部材５の挿入方向以外の移動は規制されている。
【００２４】
そして、底体２と蓋体３とをスライドさせて合体させることによって、図７に示すように、切欠き溝３２３にガイド隆起５５が嵌め込まれ、突起５４は天井板３２１の上面から突出するがガイド隆起５５は突出しない状態で、上側貼付部３２と下側貼付部２２が合体される。このとき、凹溝部５６には、突条部３２５が嵌め込まれていて、切断部材５のスライド方向への移動は規制されている（図１８）。但し、両者の断面が円弧であってさらに係合が浅いため係止爪５４と係止部４５との係合よりも規制力は弱く、シールカバー体４が抜き取られた場合は、凹溝部５６と突条部３２５との係合は解除されて切断部材５はシールカバー体４とともに抜き取られる。
【００２５】
なお、底体２と蓋体３とを合体後に切断部材５を、上側貼付部３２の前側開口部６から、切断部材５の左右両側面５７を指で挟むなどして差し込むことによっても、図７の状態にセットすることができる。凹部２２４はこのときガイド隆起５５を挿通するためのものである。
【００２６】
その後、封印シール１の切断部１３を切れ刃５１の直前に位置させるとともに、通し番号の記載された部分を突起５４の前方に位置させて、上側貼付部３２と下側貼付部２２を跨いで封印シール１を貼着する（図８）。この場合、上側貼付部３２、下側貼付部２２のそれぞれの段差３２６、２２５を目印にすることで貼着位置の誤差を少なくして貼り付けることができる。図８においては、封印シール１の通し番号「１２３４５６７８」の記載部分は切欠き溝３２３の直上に位置しており、当該部分の後方に突起５４が位置している。このように、突起５４は封印シール１の後方に位置しており、封印シール１の貼着を妨げないようになっている。なお、本明細書において、前方とは、切断部材５が封印シール１を突き破ることが可能なスライド方向をいうものとする。
【００２７】
さらに貼着された封印シール１の上にシールカバー体４を差し込んで封印シール１を覆う（図９）。このとき、係止爪５４が一度内側に撓んで戻ることで係止爪５４と係止部４５とが係合する（図１１）。係止部４５は、側面４４より内側に突出しており、可撓性を有さず、その後側は傾斜面に、前側は垂直面に形成されているので、傾斜面が摺動して係止爪５４を内側に撓ませたのちに、垂直面が係止爪５４の端部を係止する。よって、シールカバー体４のみを切断部材５から離脱させて取り出すことはできない。さらにシールカバー体４の側面４４の開口端の外側には保護壁３２７が設けてあるので、針金などを隙間から差し込んだりして係止爪５４に細工を加えて係止部４５との係合を解除するのを困難としてある。
【００２８】
以下に、封印シール１の破壊機構について説明する。
図１３において、切れ刃部５１の直前に封印シール１の接続部を位置させて、封印シール１が上側貼付部３２と下側貼付部２２を跨いで側面視野コの字状に貼着されている。シールカバー体４と切断部材５とは係合状態にあるので、このような状態において、むりやりシールカバー体４を引き出すと切断部材５も供にスライドされる。よって、切れ刃５１が前側開口部６から突出して封印シール１の接続部１３を切断することになる（図１４）。本実施形態においては、切れ刃５１は封印シール１の幅に相当する横幅に広く形成してあるので、封印シール１において接続部１３が斜めに設けられていれば接続部１３が必ず切れ刃５１の直上に位置することとなるので、確実に接続部１３を切断することができる。よって、ＩＣチップの識別情報の読み取りが不可能となって不正行為を直ちに検知することができる。
【００２９】
また、封印シール１の通し番号の記載された部分の後方には、突起５４が突出しているので、突起５４が前方にスライドされることによって、当該部分も破壊される。したがって、シールカバー体４を透明な部材で製作しておけば基板ケースが遊技機に取り付けられている状態で外部から視認して不正行為を容易に発見することができる。
【符号の説明】
【００３０】
１  封印シール、２  底体、３  蓋体、４  シールカバー体、５  切断部材、２２  下側貼付部、３２  上側貼付部、５１  切れ刃、５４  突起
【図１】
2011239805.tif 000003
【図２】
2011239805.tif 000004
【図３】
2011239805.tif 000005
【図４】
2011239805.tif 000006
【図５】
2011239805.tif 000007
【図６】
2011239805.tif 000008
【図７】
2011239805.tif 000009
【図８】
2011239805.tif 000010
【図９】
2011239805.tif 000011
【図１０】
2011239805.tif 000012
【図１１】
2011239805.tif 000013
【図１２】
2011239805.tif 000014
【図１３】
2011239805.tif 000015
【図１４】
2011239805.tif 000016
【図１５】
2011239805.tif 000017
【図１６】
2011239805.tif 000018
【図１７】
2011239805.tif 000019
【図１８】
2011239805.tif 000020